(57)【要約】      （修正有）【課題】各拠点間で相手側拠点の雰囲気を伝える通信デュエットカラオケシステムを提供する。【解決手段】親側カラオケ装置と子側カラオケ装置とを通信可能に接続した通信カラオケシステムであって、親側歌唱音を集音する親側歌唱マイク２４Ａと、親側周囲音を集音する親側マイク付きカメラ２５Ａと、子側歌唱音を集音する子側歌唱マイク２４Ｂと、子側周囲音を集音する子側マイク付きカメラ２５Ｂと、親側歌唱信号及び子側歌唱信号を、伝送路４Ｂを介して各カラオケ装置の間で送受信する歌唱信号送受信手段と、親側周囲音信号及び子側周囲音信号を、伝送路４Ｃを介して各カラオケ装置の間で送受信する周囲音信号送受信手段と、子側歌唱音及び子側周囲音を、親側カラオケルームで再生させる第１再生手段と親側歌唱音及び親側周囲音を、子側カラオケルームで再生させる第２再生手段とを備える。【選択図】図６
2014235289.tif 000002
【特許請求の範囲】
【請求項１】
第１拠点の第１カラオケ装置と第２拠点の第２カラオケ装置とを伝送路を介して通信可能に接続した通信カラオケシステムであって、
前記第１拠点の歌唱者による第１歌唱音を集音する第１歌唱マイクと、
前記第１拠点の第１周囲音を集音する第１周囲音マイクと、
前記第２拠点の歌唱者による第２歌唱音を集音する第２歌唱マイクと、
前記第２拠点の第２周囲音を集音する第２周囲音マイクと、
前記第１歌唱マイクで生成された第１歌唱信号、及び、前記第２歌唱マイクで生成された第２歌唱信号を、前記伝送路を介して前記第１カラオケ装置と前記第２カラオケ装置との間で送受信する歌唱信号送受信手段と、
前記第１周囲音マイクで生成された第１周囲音信号、及び、前記第２周囲音マイクで生成された第２周囲音信号を、前記伝送路を介して前記第１カラオケ装置と前記第２カラオケ装置との間で送受信する周囲音信号送受信手段と、
受信された前記第２歌唱信号及び前記第２周囲音信号に基づく前記第２歌唱音及び前記第２周囲音を、前記第１拠点で再生させる第１再生手段と、
受信された前記第１歌唱信号及び前記第１周囲音信号に基づく前記第１歌唱音及び前記第１周囲音を、前記第２拠点で再生させる第２再生手段と、を備えることを特徴とする通信カラオケシステム。
【請求項２】
前記第１拠点の第１映像を撮影する第１ビデオカメラと、
前記第２拠点の第２映像を撮影する第２ビデオカメラと、
前記第１ビデオカメラで生成された第１映像信号、及び前記第２ビデオカメラで生成された第２映像信号を、前記第１周囲音信号、及び前記第２周囲音信号を伝送する伝送路を介して、前記第１カラオケ装置と前記第２カラオケ装置との間で送受信する映像信号送受信手段とを備え、
前記各映像信号及び前記各周囲音信号を伝送する伝送路は、前記各歌唱信号を伝送する伝送路よりも、伝送品質が低いことを特徴とする請求項１に記載の通信カラオケシステム。
【請求項３】
カラオケ演奏の演奏開始及び演奏終了を指示する演奏制御手段と、
前記演奏制御手段の指示に基づいて、前記第１周囲音マイクからの入力信号及び前記第２周囲音マイクからの入力信号を、カラオケの演奏期間に遮断状態にする一方、非演奏期間に接続状態にするマイク制御手段とを備えることを特徴とする請求項１又は２に記載の通信カラオケシステム。
【請求項４】
受信された前記第２周囲音信号から、前記第２カラオケ装置のカラオケ演奏で放音された第２演奏成分を抽出し、前記第１カラオケ装置によるカラオケ演奏で生成された第１演奏音信号との第１位相差及び第１信号レベル差を検出する第１差分検出手段と、
受信された前記第１周囲音信号から、前記第１カラオケ装置のカラオケ演奏で放音された第１演奏成分を抽出し、前記第２カラオケ装置によるカラオケ演奏で生成された第２演奏音信号との第２位相差及び第２信号レベル差を検出する第２差分検出手段と、
前記第１演奏音信号を逆位相に変換すると共に前記第１位相差の分だけ遅延させ、かつ、前記第１信号レベル差に応じて振幅を変更した第１逆位相信号を、受信された前記第２周囲音信号に混合する第１キャンセル手段と、
前記第２演奏音信号を逆位相に変換すると共に前記第２位相差の分だけ遅延させ、かつ、前記第２信号レベル差に応じて振幅を変更した第２逆位相信号を、受信された前記第２周囲音信号に混合する第２キャンセル手段と、を備えることを特徴とする請求項１又は２に記載の通信カラオケシステム。
【発明の詳細な説明】
【技術分野】
【０００１】
本発明は、拠点間を伝送路によって通信可能に接続し、各拠点の間で通信デュエットを行わせる通信カラオケシステムに関し、特に集音マイクを用いて各拠点の周囲音を共有させるものに関する。
【背景技術】
【０００２】
拠点間を伝送路によって通信可能に接続し、各拠点の間で通信デュエットを行わせる通信カラオケシステムが知られている。例えば、特許文献１に記載の通信カラオケシステムでは、Ａ地点の通信カラオケシステムとＢ地点の通信カラオケシステムとの間で同期処理を行った後、ガイドデータを相互に送信して再生させる。そして、各拠点での再生音にあわせてカラオケ歌唱が行われる。
【先行技術文献】
【特許文献】
【０００３】
【特許文献１】特開２０１０−１１２９８１号公報
【発明の概要】
【発明が解決しようとする課題】
【０００４】
特許文献１の通信カラオケシステムに代表されるように、従来のカラオケシステムでは歌唱者の歌唱音が拠点間で共有されている。すなわち、拠点にいる仲間からの合いの手や盛り上げ音については共有されておらず、拠点間でその場の雰囲気が伝わり難いという問題があった。
【０００５】
本発明は、このような事情に鑑みてなされたものであり、その目的は、各拠点の間で通信デュエットを行わせる通信カラオケシステムにおいて、各拠点で相手側拠点の雰囲気を伝えるようにすることにある。
【課題を解決するための手段】
【０００６】
前記目的を達成するため、本発明は、第１拠点の第１カラオケ装置と第２拠点の第２カラオケ装置とを伝送路を介して通信可能に接続した通信カラオケシステムであって、前記第１拠点の歌唱者による第１歌唱音を集音する第１歌唱マイクと、前記第１拠点の第１周囲音を集音する第１周囲音マイクと、前記第２拠点の歌唱者による第２歌唱音を集音する第２歌唱マイクと、前記第２拠点の第２周囲音を集音する第２周囲音マイクと、前記第１歌唱マイクで生成された第１歌唱信号、及び、前記第２歌唱マイクで生成された第２歌唱信号を、前記伝送路を介して前記第１カラオケ装置と前記第２カラオケ装置との間で送受信する歌唱信号送受信手段と、前記第１周囲音マイクで生成された第１周囲音信号、及び、前記第２周囲音マイクで生成された第２周囲音信号を、前記伝送路を介して前記第１カラオケ装置と前記第２カラオケ装置との間で送受信する周囲音信号送受信手段と、受信された前記第２歌唱信号及び前記第２周囲音信号に基づく前記第２歌唱音及び前記第２周囲音を、前記第１拠点で再生させる第１再生手段と、受信された前記第１歌唱信号及び前記第１周囲音信号に基づく前記第１歌唱音及び前記第１周囲音を、前記第２拠点で再生させる第２再生手段とを備えることを特徴とする。
【０００７】
本発明によれば、第１拠点の第１周囲音が第２拠点で放音され、第２拠点の第２周囲音が第１拠点で放音されるので、各拠点で相手側拠点の雰囲気を伝えることができる。
【０００８】
前述のカラオケシステムにおいて、前記第１拠点の第１映像を撮影する第１ビデオカメラと、前記第２拠点の第２映像を撮影する第２ビデオカメラと、前記第１ビデオカメラで生成された第１映像信号、及び前記第２ビデオカメラで生成された第２映像信号を、前記第１周囲音信号、及び前記第２周囲音信号を伝送する伝送路を介して、前記第１カラオケ装置と前記第２カラオケ装置との間で送受信する映像信号送受信手段とを備え、前記各映像信号及び前記各周囲音信号を伝送する伝送路は、前記各歌唱信号を伝送する伝送路よりも、伝送品質が低いことが好ましい。この構成では、第１周囲音信号及び第２周囲音信号を伝送する伝送路を介して、第１映像信号及び第２映像信号も伝送されるので伝送路を簡素化できる。ここで、各周囲音は歌唱音よりも低品質でよいことから、サンプリング周波数を落とすことができる。また、歌唱時の各映像は、歌唱音声に比べて伝送遅延による影響が小さい。このため、各周囲音信号と各映像信号を、各歌唱信号を伝送する伝送路よりも伝送品質の低い共通の伝送路で伝送しても、通信デュエットに与える影響を抑えることができる。
【０００９】
前述のカラオケシステムにおいて、カラオケ演奏の演奏開始及び演奏終了を指示する演奏制御手段と、前記演奏制御手段の指示に基づいて、前記第１周囲音マイクからの入力信号及び前記第２周囲音マイクからの入力信号を、カラオケの演奏期間に遮断状態にする一方、非演奏期間に接続状態にするマイク制御手段とを備えることが好ましい。この構成では、カラオケの演奏期間において周囲音信号が生成されないので、周囲音によってデュエット歌唱が影響を受ける不具合を抑制できる。
【００１０】
前述のカラオケシステムにおいて、受信された前記第２周囲音信号から、前記第２カラオケ装置のカラオケ演奏で放音された第２演奏成分を抽出し、前記第１カラオケ装置によるカラオケ演奏で生成された第１演奏音信号との第１位相差及び第１信号レベル差を検出する第１差分検出手段と、受信された前記第１周囲音信号から、前記第１カラオケ装置のカラオケ演奏で放音された第１演奏成分を抽出し、前記第２カラオケ装置によるカラオケ演奏で生成された第２演奏音信号との第２位相差及び第２信号レベル差を検出する第２差分検出手段と、前記第１演奏音信号を逆位相に変換すると共に前記第１位相差の分だけ遅延させ、かつ、前記第１信号レベル差に応じて振幅を変更した第１逆位相信号を、受信された前記第２周囲音信号に混合する第１キャンセル手段と、前記第２演奏音信号を逆位相に変換すると共に前記第２位相差の分だけ遅延させ、かつ、前記第２信号レベル差に応じて振幅を変更した第２逆位相信号を、受信された前記第２周囲音信号に混合する第２キャンセル手段とを備えることが好ましい。この構成では、デュエット歌唱において周囲音に含まれるカラオケ演奏音が抑制されるので、相手側拠点における合いの手や盛り上げ音を聞き取り易くすることができる。
【発明の効果】
【００１１】
本発明によれば、各拠点の間で通信デュエットを行わせる通信カラオケシステムにおいて、各拠点で相手側拠点の雰囲気を伝えることができる。
【図面の簡単な説明】
【００１２】
【図１】通信カラオケシステムにおける概略構成を説明する概念図である。
【図２】ホスト装置の構成を説明するブロック図である。
【図３】カラオケ装置の構成を説明するブロック図である。
【図４】カラオケ本体の構成を説明するブロック図である。
【図５】デュエットを行う一対のカラオケ装置が伝送路を介して接続された状態を説明するブロック図である。
【図６】通信デュエット実行時の各種信号の流れを説明するブロック図である。
【図７】歌唱マイクと集音マイクのオンオフ制御を説明する概念図である。
【図８】逆位相信号による相手側演奏音のキャンセル処理を説明する概念図である。
【図９】他の実施形態における各種信号の流れを説明するブロック図である。
【発明を実施するための形態】
【００１３】
以下、本発明の実施形態について説明する。図１に示す通信カラオケシステムは、ホスト装置１とカラオケ装置２と有している。そして、これらが伝送路４を介して通信可能に接続されている。カラオケ装置２は、例えばカラオケ店ＫＢの各カラオケルームＲＭに設置されている。そして、伝送路４を通じたデュエット歌唱（以下、通信デュエットという）を行う場合、一対のカラオケ装置２が伝送路４を介して相互に接続される。以下、各装置について説明する。
【００１４】
ホスト装置１は、サーバーとして機能し、顧客情報などの各種情報を蓄積して管理する。図２に示すように、ホスト装置１は、ホスト側制御部１１と、ホスト側通信部１２と、ホスト側記憶部１３とを有している。ホスト側制御部１１は、ホスト装置１における制御の中心となる部分であり、ＣＰＵ１１ａやメモリ１１ｂを有している。ＣＰＵ１１ａは、メモリ１１ｂに記憶された動作プログラムに従って各種の制御を実行する。メモリ１１ｂは、ＣＰＵ１１ａに実行されるプログラムを記憶したり、プログラムの実行時に各種情報を一時的に記憶したりする記憶素子である。ホスト側通信部１２は、ホスト装置１を伝送路４に接続するためのインタフェースを提供する。ホスト側記憶部１３は、大容量の情報を記憶する記憶装置であり、ハードディスクドライブ等によって構成されている。ホスト側記憶部１３の一部領域は、利用者（歌唱者）の個人情報や履歴データが記憶される顧客情報記憶領域として用いられている。この顧客情報記憶領域には、個人情報、来店履歴、歌唱履歴等を示すデータが利用者ＩＤに対応付けられた状態で記憶される。
【００１５】
次に、カラオケ装置２について説明する。カラオケ装置２は、カラオケ演奏等を行うものであり、例えば図３に示すように、カラオケ本体２１と、スピーカ２２と、モニタ２３と、歌唱マイク２４と、マイク付カメラ２５と、リモコン装置２６と、第１通信端末２７と、第２通信端末２８と、パワーアンプ２９とを有している。
【００１６】
カラオケ本体２１は、選択されたカラオケ楽曲の演奏制御、歌詞及び背景映像の表示制御、歌唱マイク２４で生成された歌唱音声信号の処理といった、カラオケ歌唱に関する各種の制御を行う部分である。このカラオケ本体２１については、後で詳しく説明する。
【００１７】
スピーカ２２は、第１通信端末２７及びパワーアンプ２９を介してカラオケ本体２１に接続されており、パワーアンプ２９で増幅された放音信号に基づいて放音する。例えば、個々のカラオケルームＲＭで行われる通常のカラオケ歌唱では、歌唱マイク２４で生成されてカラオケ本体２１で調整された歌唱信号と、カラオケ演奏のためにカラオケ本体２１で生成された演奏音信号とが、第１通信端末２７を通じてパワーアンプ２９に入力される。このため、スピーカ２２からは、歌唱音とカラオケ演奏音とが放音される。なお、このような通常のカラオケ歌唱では、歌唱信号及び演奏音信号を、第１通信端末２７を経ずに直接パワーアンプ２９に入力してもよい。
【００１８】
また、２つのカラオケルームＲＭ（拠点）を伝送路４で通信可能に接続して行われる通信デュエットでは、後述するように、一方の拠点の歌唱マイク２４で生成された歌唱信号（第１歌唱信号）と、他方の拠点の歌唱マイク２４で生成された歌唱信号（第２歌唱信号）と、各拠点のカラオケ本体２１で生成された演奏音信号とが、第１通信端末２７を介してパワーアンプ２９に入力される。このため、スピーカ２２からは、各歌唱者の歌唱音とカラオケ演奏音が放音される。
【００１９】
モニタ２３は、カラオケ本体２１に接続されており、カラオケ本体２１からの映像信号に基づいて映像を画面に表示する。例えば、歌唱対象のカラオケ楽曲における歌詞や背景映像を表示させる。また、通信デュエットでは、自室側映像と相手側映像を、歌詞テロップとともに表示させる。歌唱マイク２４もカラオケ本体２１に接続されており、歌唱者の音声等を歌唱信号に変換してカラオケ本体２１に入力させる。
【００２０】
マイク付カメラ２５は、カメラユニット２５ａと集音マイク２５ｂを備えている。そして、カメラユニット２５ａでカラオケルームＲＭ内を撮影して映像信号を生成したり、集音マイク２５ｂでカラオケルームＲＭの周囲音を集音して周囲音信号を生成したりする。このマイク付カメラ２５は、各拠点の映像を撮影するビデオカメラに相当し、かつ、各拠点の周囲音を集音する周囲音マイクに相当する。そして、生成された映像信号及び周囲音信号は第２通信端末２８に入力され、カラオケ本体２１に出力されたり、伝送路４を介して相手側へ送信されたりする。
【００２１】
リモコン装置２６は、カラオケ本体２１との間で情報を送受信するための双方向通信可能な短距離無線通信部を備えており、カラオケ楽曲の予約時などに操作される。カラオケ楽曲の予約時において、リモコン装置２６からは、演奏対象の楽曲を識別するための楽曲ＩＤを含んだ操作信号が送信される。
【００２２】
また、本実施形態のリモコン装置２６は、通信デュエットにおける開始信号を送信する開始信号送信手段としても機能する。詳細は後述するが、この通信カラオケシステムでは、通信デュエットを行うに際し、一方の拠点が親側となり、他方の拠点が子側となる。そして、一方の拠点に設置されたカラオケ装置２が親機として機能し、他方の拠点に設置されたカラオケ装置２が子機として機能する。そして、親側のカラオケ装置２が有するリモコン装置２６からの開始信号が、親側のカラオケ本体２１と子側のカラオケ本体２１のそれぞれに送信される。この場合において、親側のカラオケ本体２１に対しては開始信号が直接入力され、子側のカラオケ本体２１に対しては開始信号が近隣のルーター装置ＲＴ及び伝送路４（汎用伝送路４Ａ）を介して送信される。
【００２３】
第１通信端末２７は、カラオケ本体２１とパワーアンプ２９との間に介在し、歌唱音や演奏音に関する各種信号を取り扱う。例えば、通常のカラオケ歌唱において、第１通信端末２７は、カラオケ本体２１から直接入力される歌唱信号及び演奏音信号の入力音量を調整し、パワーアンプ２９に対する出力音量を調整する。また、通信デュエット歌唱において、第１通信端末２７は、伝送路４を通じて入力された相手側歌唱信号と、自室側でのカラオケ歌唱で生成された自室側歌唱信号及び演奏音信号との入力バランスを調整し、パワーアンプ２９に対する出力音量を調整する。
【００２４】
第２通信端末２８は、カラオケ本体２１とマイク付カメラ２５との間に介在し、映像や周囲音に関する各種信号を取り扱うものであり、例えばセットトップボックスによって構成される。例えば、通信デュエット歌唱において、第２通信端末２８は、マイク付カメラ２５で生成された自室側映像信号、及び、伝送路４を通じて入力された相手側映像信号を合成し、カラオケ本体２１に出力する。また、伝送路４を通じて入力された相手側周囲音信号もカラオケ本体２１に出力する。
【００２５】
カラオケ本体２１は、第２通信端末２８から入力された合成後の映像信号をモニタ２３に出力する。これにより、モニタ２３には、自室側映像と相手側映像とが表示される。また、カラオケ本体２１は、第２通信端末２８から入力された相手側周囲音信号を第１通信端末２７に出力する。第１通信端末２７は、相手側周囲音信号についても各歌唱信号や演奏音信号と同様に入力音量を調整し、パワーアンプ２９に対する出力音量を調整する。
【００２６】
これらの第１通信端末２７及び第２通信端末２８は、通信デュエットが行われる際に、相手側の第１通信端末２７及び第２通信端末２８と伝送路４を介して通信可能に接続される。また、カラオケ本体２１も、相手側のカラオケ本体２１と伝送路４を介して通信可能に接続される。さらに、カラオケ本体２１は、通信デュエットが行われていない期間において、ホスト装置１と伝送路４を介して通信可能に接続される。
【００２７】
このため、カラオケ本体２１、第１通信端末２７、及び第２通信端末２８は、何れもルーター装置ＲＴに接続されている。このルーター装置ＲＴにより、カラオケ本体２１は汎用伝送路４Ａに接続され、第１通信端末２７は第１専用伝送路４Ｂに接続され、第２通信端末２８は第２専用伝送路４Ｃに接続される。
【００２８】
ここで、汎用伝送路４Ａは、例えばインターネット回線や無線ＬＡＮ等の汎用性を有する伝送路である。また、第１専用伝送路４Ｂ及び第２専用伝送路４Ｃは、規定の通信速度が得られるように品質管理された専用回線である。本実施形態では、第２専用伝送路４Ｃとしてテレビ電話用の伝送路を用いている。このため、複数の第２通信端末２８のそれぞれには電話番号が割り当てられており、通話状態にすることで一対の第２通信端末２８，２８が、ルーター装置ＲＴ及び第２専用伝送路４Ｃを介して通信可能に接続される。第１専用伝送路４Ｂは、次世代型のネットワークなど、第２専用伝送路４Ｃよりも高品質な通信が可能な専用の伝送路である。各第１通信端末２７にも電話番号が割り当てられており、通話状態にすることで一対の第１通信端末２７，２７が、ルーター装置ＲＴ及び第１専用伝送路４Ｂを介して通信可能に接続される。
【００２９】
汎用伝送路４Ａは、通信デュエットの開始信号を他のカラオケ本体２１に送信する際に使用される。そして、第１専用伝送路４Ｂは、通信デュエット歌唱を行うに際し、歌唱信号を送受信する際に用いられる。また、第２専用伝送路４Ｃは、通信デュエット歌唱を行うに際し、マイク付カメラ２５で生成された映像信号や周囲音信号を送受信する際に用いられる。
【００３０】
次に、カラオケ本体２１について詳細に説明する。図４に示すように、カラオケ本体２１は、本体側制御部３１と、本体側通信部３２と、本体側記憶部３３と、音源部３４と、音響処理部３５と、表示処理部３６と、映像入力部３７と、操作部３８とを有している。そして、これらの各部がバスＢＳを介して通信可能な状態に接続されている。
【００３１】
本体側制御部３１は、カラオケ本体２１における制御の中心となる部分であり、ＣＰＵ３１ａやメモリ３１ｂを有している。ＣＰＵ３１ａは、メモリ３１ｂに記憶された動作プログラムに従って各種の制御を実行する。例えば、操作部３８からの操作を受け付ける操作入力処理やシーケンサとして動作するシーケンサ処理を行う。メモリ３１ｂは、ＣＰＵ３１ａに実行されるプログラムを記憶したり、プログラムの実行時に各種情報を一時的に記憶したりする記憶素子である。
【００３２】
本体側通信部３２は、ルーター装置ＲＴを介してカラオケ本体２１を汎用伝送路４Ａに接続するためのインタフェースを提供する。このため、本体側通信部３２は、ルーター装置ＲＴとの間で情報の送受信を行う。そして、本体側通信部３２は、本体側制御部３１によって動作が制御される。
【００３３】
本体側記憶部３３は、各種のデータを記憶する大容量の記憶装置であり、例えばハードディスクドライブによって構成されている。この本体側記憶部３３には、例えば、楽曲データ記憶領域や背景映像データ記憶領域が設けられる。楽曲データ記憶領域には、リモコン装置２６で選択されたカラオケ楽曲を演奏するための楽曲データが記憶され、背景映像データ記憶領域には、モニタ２３に背景映像を表示させるための背景映像データが記憶される。
【００３４】
楽曲データには、ＭＩＤＩデータと歌詞データとが含まれる。ＭＩＤＩデータは、電子楽器による音楽の演奏情報（演奏データ）であり、時系列のノート情報によって構成される。ノート情報は、例えば発音や消音のタイミング、キーの押圧力、音量や音質、ピッチなどを制御する各種の命令によって構成される。歌詞データは、カラオケ楽曲における歌詞テロップをモニタ２３で表示させるためのデータである。これらのＭＩＤＩデータと歌詞データは、カラオケ装置２で演奏可能なカラオケ楽曲のそれぞれについて、楽曲ＩＤに対応付けられた状態で記憶されている。
【００３５】
音源部３４は、ＭＩＤＩデータに基づいて演奏音信号を生成する部分であり、ＣＰＵ３４ａと、メモリ３４ｂと、波形メモリ３４ｃとを有している。ＣＰＵ３４ａは、メモリ３４ｂに記憶された動作プログラムに従って各種の制御を実行する。メモリ３４ｂは、ＣＰＵ３４ａに実行されるプログラムを記憶したり、プログラムの実行時に各種情報を一時的に記憶したりする記憶素子である。波形メモリ３４ｃは、対象楽器が奏でた様々な音の波形データを読み出し可能に記憶する記憶素子である。
【００３６】
この音源部３４は、本体側制御部３１がシーケンサ処理を行うと、ＭＩＤＩデータに応じて波形データを加工し、加工後の楽音信号を音響処理部３５に出力する。ここで、シーケンサ処理について簡単に説明する。あるカラオケ楽曲について演奏の順番が到来すると、シーケンサ処理が開始される。まず、本体側制御部３１は、楽曲データ記憶領域に記憶されたＭＩＤＩデータ及び歌詞データを読み出し、メモリ３１ｂに記憶させる。そして、本体側制御部３１は、ＭＩＤＩデータに含まれるタイムコード（カラオケ歌唱の進行状況を示す情報）に従ってＭＩＤＩメッセージを音源部３４に出力する。音源部３４は、入力されたＭＩＤＩメッセージに応じた動作を行う。例えば、ＭＩＤＩメッセージが所定の音を鳴らす命令である場合、音源部３４は、対応する波形データを波形メモリ３４ｃから読み出してＭＩＤＩメッセージに応じた加工を施し、楽音信号として音響処理部３５に出力する。また、ＭＩＤＩメッセージが音を停止する命令である場合、音源部３４は、楽音信号の音響処理部３５への出力を停止する。
【００３７】
音響処理部３５は、カラオケ楽曲の演奏制御、歌唱マイク２４で生成された歌唱信号の処理、第１通信端末２７を通じて入力された歌唱信号の処理、及び、マイク付カメラ２５で生成された周囲音信号の処理などを行う部分である。例えば、カラオケ楽曲の演奏制御において、音響処理部３５は、音源部３４から出力された楽音信号をアナログ変換し、演奏音信号として第１通信端末２７へ出力する。また、歌唱マイク２４からの歌唱信号が入力されると、この歌唱信号を第１通信端末２７へ出力したり、デジタルデータに変換して本体側記憶部３３に記憶させたりする。
【００３８】
表示処理部３６は、カラオケ演奏時における背景映像の表示等の制御を行う。カラオケ演奏時において、表示処理部３６には背景映像データが入力されており、この背景映像データのデコードが行われる。そして、表示処理部３６は、デコードで生成された背景映像の映像信号に歌詞テロップを合成し、合成後の映像信号をモニタ２３に出力する。その際、表示処理部３６は、本体側制御部３１でのシーケンサ処理で出力される歌詞データに基づき、歌詞テロップを合成する。また、シーケンサ処理で出力される色替え命令に従って、歌詞テロップの表示色を変更する。その結果、モニタ２３には、背景映像に歌詞テロップが重ねられた映像が表示され、かつ、カラオケ楽曲の進行にあわせて歌詞テロップの表示色が変更される。
【００３９】
映像入力部３７は、第２通信端末２８からの映像信号を取り込む部分であり、例えばインタフェース回路によって構成されている。通信デュエットが行われる期間において、第２通信端末２８からは、自室側映像と相手側映像とが合成された合成映像の映像信号が出力される。そして、映像入力部３７は、合成映像の映像信号を表示処理部３６に出力する。これにより表示処理部３６は、合成後の映像信号をモニタ２３に出力し、モニタ２３は合成後の映像を表示する。
【００４０】
操作部３８は、パネルスイッチやリモコン受信回路などからなっており、利用者によるパネルスイッチやリモコン装置２６の操作に応じた操作信号を本体側制御部３１に対して出力する。本体側制御部３１は、操作入力処理を行うことで操作信号を検出し、対応する処理を実行する。なお、パネルスイッチやリモコン装置２６は、操作を選択するための種々のキースイッチ（図示せず）を備えている。そして、リモコン装置２６を通じた操作により、通常のカラオケ歌唱や通信デュエットを選択して実行できる。
【００４１】
次に、上記構成を有する通信カラオケシステムの動作について説明する。このカラオケシステムは、通信デュエットの処理に特徴を有している。このため、通信デュエットの動作を中心に説明を行う。
【００４２】
図５は、通信デュエットを行う一対のカラオケ装置２が伝送路４（４Ａ〜４Ｃ）を介して接続された状態、すなわち通信カラオケシステムを説明するブロック図である。前述したように、通信デュエットの実行時には、一方のカラオケ装置２が親機となり、他方のカラオケ装置２が子機となる。便宜上、以下の説明では、親機となるカラオケ装置２を親側カラオケ装置２Ａといい、子機となるカラオケ装置２を子側カラオケ装置２Ｂという。そして、親側カラオケ装置２Ａが備える各部については「親側」の語を付して示し、子側カラオケ装置２Ｂが備える各部については「子側」の語を付して示すこととする。
【００４３】
図５において、親側カラオケ装置２Ａは親側カラオケルームＲＭ（親）に設置され、子側カラオケ装置２Ｂは子側カラオケルームＲＭ（子）に設置されている。そして、この実施形態では、親側カラオケルームＲＭ（親）が第１拠点に相当し、子側カラオケルームＲＭ（子）が第２拠点に相当する。従って、親側カラオケ装置２Ａが第１拠点の第１カラオケ装置に相当し、子側カラオケ装置２Ｂが第２拠点の第２カラオケ装置に相当する。
【００４４】
なお、子側カラオケルームＲＭ（子）を第１拠点とし、親側カラオケルームＲＭ（親）を第２拠点としてもよい。この場合、子側カラオケ装置２Ｂが第１拠点の第１カラオケ装置に相当し、親側カラオケ装置２Ａが第２拠点の第２カラオケ装置に相当する。
【００４５】
親側カラオケルームＲＭ（親）には親側ルーター装置ＲＴＡが設置され、子側カラオケルームＲＭ（子）には子側ルーター装置ＲＴＢが設置されている。また、親側カラオケ本体２１Ａと子側カラオケ本体２１Ｂとは汎用伝送路４Ａによって通信可能に接続されている。同様に、親側第１通信端末２７Ａと子側第１通信端末２７Ｂとは第１専用伝送路４Ｂで通信可能に接続され、親側第２通信端末２８Ａと子側第２通信端末２８Ｂとは第２専用伝送路４Ｃで通信可能に接続される。
【００４６】
前述したように、親側第１通信端末２７Ａと子側第１通信端末２７Ｂには、それぞれ電話番号が割り振られている。このため、例えば親側第１通信端末２７Ａから発呼し、子側第１通信端末２７Ｂでオフフックすることにより、第１専用伝送路４Ｂが接続状態になり、両拠点の利用者間で会話等のコミュニケーションをとることが可能となる。同様に、親側第２通信端末２８Ａと子側第２通信端末２８Ｂにも、それぞれ電話番号が割り振られている。このため、例えば親側第２通信端末２８Ａから発呼し、子側第２通信端末２８Ｂでオフフックすることにより、第２専用伝送路４Ｃが接続状態になり、各カラオケルームＲＭ（親），ＲＭ（子）の映像や周囲音が共有される。
【００４７】
このように、親側第１通信端末２７Ａと子側第１通信端末２７Ｂとが第１専用伝送路４Ｂで接続され、親側第２通信端末２８Ａと子側第２通信端末２８Ｂとが第２専用伝送路４Ｃで通信可能に接続されると、図６に示す経路で各種の信号が送受信される。
【００４８】
まず、親側歌唱マイク２４Ａで生成された親側歌唱信号は、親側カラオケ本体２１Ａ、親側第１通信端末２７Ａ、及び親側ルーター装置ＲＴＡを経由して第１専用伝送路４Ｂに送信される。また、第１専用伝送路４Ｂからの親側歌唱信号は、子側ルーター装置ＲＴＢを経由して子側第１通信端末２７Ｂで受信される。同様に、子側歌唱マイク２４Ｂで生成された子側歌唱信号は、子側カラオケ本体２１Ｂ、子側第１通信端末２７Ｂ、及び子側ルーター装置ＲＴＢを経由して第１専用伝送路４Ｂに送信される。また、第１専用伝送路４Ｂからの子側歌唱信号は、親側ルーター装置ＲＴＡを経由して親側第１通信端末２７Ａで受信される。
【００４９】
次に、親側マイク付カメラ２５Ａで生成された親側周囲音信号は、親側第２通信端末２８Ａ、及び親側ルーター装置ＲＴＡを経由して第２専用伝送路４Ｃに送信される。また、第２専用伝送路４Ｃからの親側周囲音信号は、子側ルーター装置ＲＴＢ、及び子側第２通信端末２８Ｂを経由して子側カラオケ本体２１Ｂで受信される。同様に、子側マイク付カメラ２５Ｂで生成された子側周囲音信号は、子側第２通信端末２８Ｂ、及び子側ルーター装置ＲＴＢを経由して第２専用伝送路４Ｃに送信される。また、第２専用伝送路４Ｃからの子側周囲音信号は、親側ルーター装置ＲＴＡ、及び親側第２通信端末２８Ａを経由して親側カラオケ本体２１Ａで受信される。
【００５０】
親側カラオケ本体２１Ａは、親側歌唱信号、親側演奏音信号、及び子側周囲音信号を親側第１通信端末２７Ａに出力する。そして、親側第１通信端末２７Ａは、これらの各信号に子側歌唱信号を混合して親側パワーアンプ２９Ａに出力する。これにより、親側スピーカ２２Ａからは、親側歌唱信号に基づく親側歌唱音、親側カラオケ本体２１Ａを音源とする親側演奏音、子側歌唱信号に基づく子側歌唱音、及び子側周囲音信号に基づく子側周囲音が放音される。同様に、子側カラオケ本体２１Ｂは、子側歌唱信号、子側演奏音信号、及び親側周囲音信号を子側第１通信端末２７Ｂに出力する。そして、子側第１通信端末２７Ｂは、これらの各信号に親側歌唱信号を混合して子側パワーアンプ２９Ｂに出力する。これにより、子側スピーカ２２Ｂからは、子側歌唱信号に基づく子側歌唱音、子側カラオケ本体２１Ｂを音源とする子側演奏音、親側歌唱信号に基づく親側歌唱音、及び親側周囲音信号に基づく親側周囲音が放音される。
【００５１】
次に、親側マイク付カメラ２５Ａで生成された親側映像信号は、親側第２通信端末２８Ａ、及び親側ルーター装置ＲＴＡを経由して第２専用伝送路４Ｃに送信される。また、第２専用伝送路４Ｃからの親側映像信号は、子側ルーター装置ＲＴＢを経由して子側第２通信端末２８Ｂで受信される。そして、子側第２通信端末２８Ｂは、受信した親側映像信号と子側マイク付カメラ２５Ｂで生成された子側映像信号とを合成し、合成後の映像信号を子側カラオケ本体２１Ｂに出力する。同様に、子側マイク付カメラ２５Ｂで生成された子側映像信号は、子側第２通信端末２８Ｂ、及び子側ルーター装置ＲＴＢを経由して第２専用伝送路４Ｃに送信される。また、第２専用伝送路４Ｃからの子側映像信号は、親側ルーター装置ＲＴＡを経由して親側第２通信端末２８Ａで受信される。そして、親側第２通信端末２８Ａは、受信した子側映像信号と親側マイク付カメラ２５Ａで生成された親側映像信号とを合成し、合成後の映像信号を親側カラオケ本体２１Ａに出力する。
【００５２】
親側カラオケ本体２１Ａは、合成後の映像信号を親側モニタ２３Ａに出力し、子側カラオケ本体２１Ａは、合成後の映像信号を子側モニタ２３Ｂに出力する。これにより、親側モニタ２３Ａ及び子側モニタ２３Ｂのそれぞれには、各カラオケルームＲＭ（親），ＲＭ（子）の映像が表示される。
【００５３】
通信デュエットは、親側リモコン装置２６Ａから出力される開始信号を各カラオケ本体２１Ａ，２１Ｂが受信することで開始される。そして、親側リモコン装置２６Ａからの開始信号は、親側カラオケ本体２１Ａに対しては直接入力される。また、子側カラオケ本体２１Ｂに対しては、親側ルーター装置ＲＴＡ、汎用伝送路４Ａ、及び子側ルーター装置ＲＴＢを経由して送信される。
【００５４】
このように、本実施形態の通信カラオケシステムでは、親側カラオケルームＲＭ（親）において、親側歌唱音、親側演奏音、及び子側歌唱音に加えて子側周囲音も放音され、子側カラオケルームＲＭ（子）において、子側歌唱音、子側演奏音、及び親側歌唱音に加えて親側周囲音も放音される。これにより、相手側カラオケルームＲＭの歌唱者音声のみならず、聴衆の合いの手や盛り上げ音も共有できる。すなわち、各カラオケルームＲＭに対し、相手側カラオケルームＲＭの雰囲気をも伝えることができる。
【００５５】
また、本実施形態の通信カラオケシステムでは、各マイク付カメラ２５Ａ，２５Ｂで生成された各周囲音信号が、同じく各マイク付カメラ２５Ａ，２５Ｂで生成された各映像信号と共通の第２専用伝送路４Ｃを介して送受信されている。このように、周囲音信号と映像信号を第２専用伝送路４Ｃで送受信しているので、伝送路４の必要数を低減することができる。そして、各周囲音は歌唱音よりも低品質でよいことから、各周囲音信号については、各歌唱信号よりもサンプリング周波数を落とすことができる。また、歌唱時の各映像は、歌唱音声に比べて伝送遅延が目立ち難い。このため、各周囲音信号と各映像信号を第２専用伝送路４Ｃで伝送しても、通信デュエットに与える影響を抑制できる。
【００５６】
以上の説明から明らかなように、本実施形態では、各カラオケ本体２１Ａ，２１Ｂ、各第１通信端末２７Ａ，２７Ｂ、及び各ルーター装置ＲＴＡ，ＲＴＢが、各歌唱信号を伝送路４（第１専用伝送路４Ｂ）を介して各カラオケ装置２Ａ，２Ｂの間で送受信する歌唱信号送受信手段に相当する。また、各カラオケ本体２１Ａ，２１Ｂ、各第２通信端末２８Ａ，２８Ｂ、及び各ルーター装置ＲＴＡ，ＲＴＢが、各周囲音信号を伝送路４（第２専用伝送路４Ｃ）を介して各カラオケ装置２Ａ，２Ｂの間で送受信する周囲音信号送受信手段に相当する。
【００５７】
また、本実施形態では、親側カラオケルームＲＭ（親）が第１拠点に、子側カラオケルームＲＭ（子）が第２拠点に相当するので、親側カラオケ本体２１Ａ、親側第２通信端末２８Ａ、親側パワーアンプ２９Ａ、及び親側スピーカ２２Ａが第１再生手段に相当する。そして、子側カラオケ本体２１Ｂ、子側第２通信端末２８Ｂ、子側パワーアンプ２９Ｂ、及び子側スピーカ２２Ｂが第２再生手段に相当する。さらに、各第２通信端末２８Ａ，２８Ｂ、及び各ルーター装置ＲＴＡ，ＲＴＢが映像信号送受信手段に相当する。
【００５８】
ところで、各歌唱マイク２４Ａ，２４Ｂ及び各マイク付カメラ２５Ａ，２５Ｂの集音マイク２５ｂに関し、これらを常にオン状態にすると、通信デュエットの期間中に相手側の周囲音が自室に聞こえてしまい、カラオケ歌唱の妨げになるおそれがある。そこで、各マイク付カメラ２５Ａ，２５Ｂの集音マイク２５ｂ（周囲音マイク）に関し、カラオケの演奏期間には入力信号を遮断状態にする一方、非演奏期間には入力信号を接続状態にする制御をすることが好ましい。
【００５９】
例えば、図７（ａ）に示すように、カラオケ楽曲の演奏開始までの期間と、演奏終了よりも後の期間において、各マイク付カメラ２５Ａ，２５Ｂの集音マイク２５ｂの入力信号を接続状態にすると共に各歌唱マイク２４Ａ，２４Ｂの入力信号を遮断状態にし、カラオケ楽曲の演奏期間中において、集音マイク２５ｂの入力信号を遮断状態にすると共に各歌唱マイク２４Ａ，２４Ｂの入力信号を接続状態にする。また、図７（ｂ）に示すように、カラオケ楽曲の演奏開始までの期間と、演奏終了よりも後の期間において、各マイク付カメラ２５Ａ，２５Ｂの集音マイク２５ｂと各歌唱マイク２４Ａ，２４Ｂの入力信号を共に接続状態にし、カラオケ楽曲の演奏期間中において、集音マイク２５ｂの入力信号を遮断状態にするが各歌唱マイク２４Ａ，２４Ｂの入力信号は接続状態にする。
【００６０】
これらの制御を行うことで、少なくともカラオケ楽曲の演奏期間中は、各カラオケルームＲＭ（親），ＲＭ（子）の周囲音が共有されないので、相手側の周囲音がカラオケ歌唱の妨げになる不具合を防止できる。なお、音響処理部３５における親側歌唱マイク２４Ａの入力信号の制御と映像音声入力部３７における親側マイク付カメラ２５Ａの入力信号の制御は、親側カラオケ本体２１Ａにおいてカラオケ演奏の開始及び終了すなわち演奏期間と非演奏期間を制御する本体側制御部３１によって制御される。また、音響処理部３５における子側歌唱マイク２４Ｂの入力信号の制御と映像音声入力部３７における子側マイク付カメラ２５Ｂの入力信号の制御は、子側カラオケ本体２１Ｂにおいてカラオケ演奏の開始及び終了すなわち演奏期間と非演奏期間を制御する本体側制御部３１によって制御される。このため、各カラオケ本体２１Ａ，２１Ｂの本体側制御部３１は演奏制御手段に相当し、本体側制御部３１と音響処理部３５と映像音声入力部３７は、マイク制御手段に相当する。
【００６１】
一方で、カラオケ楽曲の演奏期間中においても、相手側のカラオケルームＲＭからの合いの手や盛り上げ音を自室側で放音したいという要望もある。この場合、集音マイク２５ｂは常にオン状態にされるため、相手側の周囲音には、相手側のカラオケルームＲＭで放音されたカラオケ演奏音も含まれる。そして、相手側の周囲音信号は遅れて伝送されるので、自室側のカラオケルームＲＭでは、自室側のカラオケ演奏音に遅れて、相手側の周囲音に含まれるカラオケ演奏音が放音されてしまう。
【００６２】
このように、演奏期間中において、相手側のカラオケルームＲＭからの合いの手等を自室側で放音させようとすると、相手側のカラオケ演奏音も放音されてしまい、聞き取り難くなってしまう。そこで、自室側で生成されるカラオケ演奏音を加工して逆位相信号を生成し、この逆位相信号を相手側から送信されてきた周囲音信号に混合することが好ましい。例えば、図８（ａ）に示すように、カラオケ楽曲の演奏期間中に亘って、逆位相信号を相手側周囲音信号に混合することが好ましい。
【００６３】
ここで、逆位相信号について説明する。この逆位相信号は、相手側周囲音信号と自室側で生成された演奏音信号を用いて生成される。なお、逆位相信号の生成は、親側カラオケルームＲＭ（親）と子側カラオケルームＲＭ（子）のそれぞれでなされる。
【００６４】
例えば、第１専用伝送路４Ｂを通じて受信した相手側周囲音信号から、図８（ｂ）の上段に示すような、相手側でのカラオケ演奏に対応する演奏音成分ＳＧ１を抽出する。この演奏音成分ＳＧ１は、自室側で生成されている自室側演奏音信号ＳＧ２と相似形をしているので、自室側演奏音信号ＳＧ２をリファレンスにすることで、相手側周囲音信号から抽出することができる。
【００６５】
次に、抽出された演奏音成分ＳＧ１と自室側演奏音信号ＳＧ２とを比較し、演奏音成分ＳＧ１と自室側演奏音信号ＳＧ２の位相差及び信号レベル差を検出する。図８（ｂ）の例では、符号ｘで示す位相差と符号ｙ１，ｙ２で示す信号レベル差が検出される。そして、自室側演奏音信号ＳＧ２を逆位相に変換すると共に位相差ｘだけ遅延させ、かつ、信号レベルをｙ２／ｙ１倍して振幅を演奏音成分ＳＧ１にあわせることで、逆位相信号ＳＧ３が生成される。
【００６６】
なお、前述したように各周囲音信号のサンプリング周波数を各歌唱信号のサンプリング周波数よりも低くした場合には、演奏音成分ＳＧ１と自室側演奏音信号ＳＧ２の周波数特性が異なることになる。そこで周波数特性を揃えるために、自室側演奏音信号ＳＧ２の高域成分をフィルタリングすることが望ましい。
【００６７】
そして、各カラオケ装置２Ａ，２Ｂでは、生成された逆位相信号ＳＧ３を相手側周囲音信号に混合する。これにより、図８（ｂ）の下段に示すように、逆位相信号ＳＧ３は演奏音成分と逆位相となり、振幅も同等であるため、演奏音成分ＳＧ１をキャンセルするように作用する。これにより、相手側周囲音に含まれるカラオケ演奏音が抑えられるので、相手側カラオケルームＲＭからの合いの手や盛り上げ音を聞き取り易くすることができる。
【００６８】
同様に、自室側で歌唱され、相手側に送信され、相手側カラオケ装置で放音された結果、相手側周囲音信号に含まれている自室側の歌唱信号も、同じ手法を用いてキャンセルすることができる。この場合の位相差は伝送路往復分の遅延となる。さらに、相手側で歌唱され、相手側カラオケ装置で放音され、相手側周囲音信号に含まれている相手側の歌唱信号も、同じ手法を用いてキャンセルすることができる。この場合は同じ条件で送受信されるので位相差はほとんど無い。
【００６９】
なお、本実施形態では、相手側周囲音信号に含まれている演奏音成分ＳＧ１をキャンセルするために自室側演奏音信号ＳＧ２を用いたが、相手側で送信する前に相手側の演奏音信号を用いてキャンセルしてから送信するように構成してもよい。また、相手側周囲音信号に含まれている自室側の歌唱信号や相手側の歌唱信号についても同様に、相手側で送信する前にキャンセルするよう構成してもよい。
【００７０】
本実施形態では、この制御は、各カラオケ本体２１の本体側制御部３１、音源部３４、及び音響処理部３５によってなされる。そして、親側カラオケルームＲＭ（親）が第１拠点であり、子側カラオケルームＲＭ（子）が第２拠点である場合、親側カラオケ本体２１Ａの本体側制御部３１、音源部３４、及び音響処理部３５は、第１差分検出手段、及び第１キャンセル手段に相当する。同様に、子側カラオケ本体２１Ｂの本体側制御部３１、音源部３４、及び音響処理部３５は、第２差分検出手段、及び第２キャンセル手段に相当する。反対に、親側カラオケルームＲＭが第２拠点であり、子側カラオケルームＲＭが第１拠点である場合、親側カラオケ本体２１Ａの各部が第２差分検出手段、及び第２キャンセル手段に相当し、子側カラオケ本体２１Ｂの各部が第１差分検出手段、及び第１キャンセル手段に相当する。
【００７１】
ところで、前述の実施形態では、第２専用伝送路４Ｃを、各映像信号と各周囲音信号の伝送に共用していたが、この構成に限定されるものではない。各映像信号と、各周囲音信号とを別個の伝送路で送受信してもよい。例えば、図９に示す実施形態では、各マイク付カメラ２５Ａ，２５Ｂで生成された周囲音信号を各カラオケ本体２１Ａ，２１Ｂに入力し、各ルーター装置ＲＴＡ，ＲＴＢを介して汎用伝送路４Ａで伝送している。
【００７２】
すなわち、親側マイク付カメラ２５Ａで生成された親側周囲音信号は、親側カラオケ本体２１Ａに入力された後、親側ルーター装置ＲＴＡを介して汎用伝送路４Ａで伝送されている。そして、親側周囲音信号は、子側ルーター装置ＲＴＢで受信された後、子側カラオケ本体２１Ｂに入力される。同様に、子側マイク付カメラ２５Ｂで生成された子側周囲音信号は、子側カラオケ本体２１Ｂに入力された後、子側ルーター装置ＲＴＢを介して汎用伝送路４Ａで伝送されている。そして、子側周囲音信号は、親側ルーター装置ＲＴＡで受信された後、親側カラオケ本体２１Ａに入力される。
【００７３】
この実施形態では、汎用伝送路４Ａが周囲音信号用伝送路に相当し、第１専用伝送路４Ｂが歌唱信号用伝送路に相当し、第２専用伝送路４Ｃが歌唱信号用伝送路に相当する。そして、各歌唱信号、各周囲音信号、及び各映像信号が別の伝送路４Ａ〜４Ｃで伝送されているので、歌唱音、周囲音、及び映像の個別制御を容易に行うことができる。例えば、歌唱音と周囲音のみを送受信させて、映像を送受信させないようにしたり、歌唱音と映像のみを送受信させて、周囲音を送受信させないようにしたりすることが容易に行える。
【００７４】
以上の実施形態の説明は、本発明の理解を容易にするためのものであり、本発明を限定するものではない。本発明はその趣旨を逸脱することなく、変更、改良され得ると共に本発明にはその等価物が含まれる。
【００７５】
例えば、前述した各実施形態の通信カラオケシステムは、各カラオケ装置２Ａ，２Ｂに音源部３４を備えており、この音源部３４を用いてカラオケ演奏音を放音させていたが、外部のサーバー（ホスト装置１）からカラオケ演奏音等をストリーミング配信するものであってもよい。
【符号の説明】
【００７６】
１…ホスト装置，２…カラオケ装置，２Ａ…親側カラオケ装置，２Ｂ…子側カラオケ装置，４…伝送路，４Ａ…汎用伝送路，４Ｂ…第１専用伝送路，４Ｃ…第２専用伝送路，１１…ホスト側制御部，１２…ホスト側通信部，１３…ホスト側記憶部，２１…カラオケ本体，２１Ａ…親側カラオケ本体，２１Ｂ…子側カラオケ本体，２２…スピーカ，２２Ａ…親側スピーカ，２２Ｂ…子側スピーカ，２３…モニタ，２３Ａ…親側モニタ，２３Ｂ…子側モニタ，２４…歌唱マイク，２４Ａ…親側歌唱マイク，２４Ｂ…子側歌唱マイク，２５…マイク付カメラ，２５Ａ…親側マイク付カメラ，２５Ｂ…子側マイク付カメラ，２５ａ…カメラユニット，２５ｂ…集音マイク，２６…リモコン装置，２６Ａ…親側リモコン装置，２７…第１通信端末，２７Ａ…親側第１通信端末，２７Ｂ…子側第１通信端末，２８…第２通信端末，２８Ａ…親側第２通信端末，２８Ｂ…子側第２通信端末，２９…パワーアンプ，２９Ａ…親側パワーアンプ，２９Ｂ…子側パワーアンプ，３１…本体側制御部，３２…本体側通信部，３３…本体側記憶部，３４…音源部，３５…音響処理部，３６…表示処理部，３７…映像入力部，３８…操作部，ＫＢ…カラオケ店，ＲＭ…カラオケルーム，ＲＭ（親）…親側カラオケルーム，ＲＭ（子）…子側カラオケルーム，ＲＴ…ルーター装置，ＲＴＡ…親側ルーター装置，ＲＴＢ…子側ルーター装置，ＢＳ…バス，ＳＧ１…演奏音成分，ＳＧ２…自室側演奏音信号，ＳＧ３…逆位相信号
【図１】
2014235289.tif 000003
【図２】
2014235289.tif 000004
【図３】
2014235289.tif 000005
【図４】
2014235289.tif 000006
【図５】
2014235289.tif 000007
【図６】
2014235289.tif 000008
【図７】
2014235289.tif 000009
【図８】
2014235289.tif 000010
【図９】
2014235289.tif 000011